(57)【要約】鋭く湾曲した、凹凸のある及び／又は動く表面上での誤った切断及び怪我を回避し、刈込み装置（１）の使用の簡便性を高めるため、筐体（２）に対して同時に可動となるよう配置される切断ユニット（３）及びコームユニット（４）を有する一方、切断ユニット（３）とコームユニット（４）との間の距離（Ｄ）は一定に維持される刈込み装置（１）を与える、ことが提案されている。望ましくは、切断ユニット（３）及びコームユニット（４）は、弾性要素（５）を介して筐体（２）に対して接続される。
2008502405.tif 000002
【特許請求の範囲】
【請求項１】
刈込み装置であって、
・  筐体と、
・  前記筐体上に取り付けられた切断ユニットと、
・  前記筐体及び／又は前記切断ユニット上に取り付けられるコームユニットと、
を有し、
前記切断ユニット及び前記コームユニットは、前記筐体に対して同時に可動となるよう配置されると同時に、前記切断ユニットと前記コームユニットとの間の距離は、実質的に一定に維持される、
刈込み装置。
【請求項２】
前記切断ユニット及び前記コームユニットは、前記筐体を有して長手方向において摺動可能であるよう配置される、
請求項１記載の刈込み装置。
【請求項３】
前記切断ユニット及び前記コームユニットは、弾性要素を介して前記筐体に接続される、
請求項１記載の刈込み装置。
【請求項４】
前記切断ユニット及び前記コームユニットは、前記筐体を有して長手方向において摺動可能であるよう配置され、弾性要素を介して前記筐体に接続される、
請求項１記載の刈込み装置。
【請求項５】
前記切断ユニットを駆動する駆動ユニットを有し、
前記駆動ユニットの少なくとも一部分は、前記切断ユニット及び前記コームユニットを有して同時に摺動可能であるよう配置される、
請求項１記載の刈込み装置。
【請求項６】
前記切断ユニットを駆動する駆動ユニットを有し、
前記駆動ユニットの少なくとも一部分は、前記切断ユニット及び前記コームユニットを有して同時に摺動可能であるよう配置され、前記弾性要素を介して前記筐体に接続される、
請求項３又は４記載の刈込み装置。
【請求項７】
前記コームユニットは、コームボディと、前記筐体及び／又は前記切断ユニット上に取り付けられる設定アームと、を有し、
前記コームボディ及び前記設定アームは、切断長さを変更するよう前記切断ユニットに対して可動である、
請求項１記載の刈込み装置。
【発明の詳細な説明】
【技術分野】
【０００１】
本発明は、毛髪の切断、ひげのトリミング、又は動物のトリミングに対して使用される刈込み装置（ｃｌｉｐｐｉｎｇ  ｄｅｖｉｃｅ）に係る。
【背景技術】
【０００２】
刈込み装置は、特には短い毛髪及び耳の周りの毛髪を切断するよう、あるいはひげをトリミングするよう広く使用される。プードル等の犬又は他の動物もまた、刈込み装置を用いてトリミングされ得る。
【０００３】
一般的に使用される刈込み装置は、モータを用いて互いに対して相対的に動かされる２つの刃を有する切断ユニットを有する。刈込み装置は、通常、刈込み装置に対する電源としてのバッテリ又はモータを収容する筐体上に取り付けられる。特定の切断長さを定め且つ切断に対して毛髪をまっすぐに立たせるよう、コームユニットは、切断ユニットを覆う筐体上に取り付けられる。実際の切断長さは、コームユニットの刃の長さによって通常は定められる。毛髪の長さは、筐体上に固定されるコームユニットが切断に対して適用されるところの皮膚に対する刃の距離と同等である。刈込み装置の有用性の範囲を拡大するよう、多種の長さを有する刃を有する異なるコームユニット、又は切断ユニットに対して可動であるコームユニットのいずれかは、異なる長さの調髪を可能にするよう与えられる。
【０００４】
ＵＳ６，２６０，２７６（特許文献１）は、切断の長さを調整する装置を有する毛髪刈込み装置を、刈込み組立体に作用する調整装置と共に記載する。刈込み組立体は、少なくとも固定される刈込みコーム、及び刈込みコームの前方端部に対して原則的に平行である振動運動において駆動され得る刈込み刃を有する。調整装置は、切断長さを調整するために長さ方向に刈込み刃を移動するよう、結合要素を介して刈込み刃に対して接続される少なくとも１つの作動要素を有する。切断刃は、バネ要素に対して接続され、刈込み刃は、刈込みコームに対して連続的にバイアスされ、平行四辺形型案内装置を有して指示される。
【０００５】
頭部等の毛髪が切断される身体の一部は、一般的には湾曲しており且つ凹凸がある。一定の切断長さを保持するよう、刈込み装置は皮膚に連続的に接触している必要がある。ユーザは、刈込み装置を皮膚に対して時にはより小さい力で、時には大変強い力で連続的に押し付けなければならない。皮膚に対して加えられる強い圧力は、毛髪を切断される身体にとっては不快であるばかりではなく、皮膚上の摩擦を強めることにもなる。極端な場合では、刈込み装置は、引っ掛かるか、あるいは皮膚を傷付け得る。この問題は、約４歳程度までの大変小さな子供の毛髪を切断する際に、特に深刻である。一方では、かかる子供は大変敏感な皮膚を有し、頭部の曲率半径が非常に小さい。他方では、かかる子供は毛髪を切断されている際によく動き、皮膚に対して均一に刈込み装置を押し付けることが非常に困難になる。
【特許文献１】ＵＳ６，２６０，２７６
【発明の開示】
【発明が解決しようとする課題】
【０００６】
本発明は、毛髪を切断されている身体を傷つける危険性を低減された刈込み装置を与える、ことを目的とする。
【課題を解決するための手段】
【０００７】
第１の態様では、本発明は、筐体、筐体上に取り付けられる切断ユニット、及び、筐体及び／又は切断ユニット上に取り付けられるコームユニットを有する刈込み装置を与える。切断ユニット及びコームユニットは、筐体に対して同時に可動となるよう配置されると同時に、切断ユニットとコームユニットとの間の距離は、実質的に一定に維持される。実質的に一定、であるということは、距離における差異が毛髪の切断長さに悪影響を与えないよう小さく維持されるよう理解される。故に、強い圧力が皮膚に対して加えられる場合、コームユニットは、後退し、皮膚に作用する圧力を低減する。しかし、切断ユニットが同時に後退し、且つ、動いている間コームユニットと切断ユニットとの間の距離が一定に維持されるため、切断長さは、コームユニットの動作に関わらず同一にとどまる。有利には、刈込み装置の一定の接触が可能とされ、毛髪切断の品質及びユーザに対する利便性又は簡便性が向上される。
【０００８】
望ましくは、切断ユニット及びコームユニットは、皮膚に対して加えられる強すぎる圧力を補正する効果を強化するよう、筐体を有して長手方向において摺動可能となるよう配置され、及び／又は弾性要素を介して筐体と接触する。
【０００９】
望ましい一実施例では、刈込み装置は、切断ユニットを駆動する駆動ユニットを有する。駆動ユニットの少なくとも一部分は、切断ユニット及びコームユニットを有して同時に可動となるよう配置される。切断ユニット及びコームユニットが弾性要素を介して筐体に対して接続されている場合、駆動ユニットの可動部分もまた、望ましくは該弾性要素を介して筐体に対して接続される。
【００１０】
望ましくは、コームユニットは、コームボディ、及び、筐体及び／又はコームユニット上に取り付けられる誘導部分を有し、コームボディ及び誘導部分は、切断長さを変更するよう切断ユニットに対して可動である。
【発明を実施するための最良の形態】
【００１１】
本発明の望ましい一実施例は、図面を参照してこれより説明される。
【００１２】
図１は、筐体２、切断ユニット３、及びコームユニット４を有する刈込み装置１を示す。刈込み装置１は、スイッチ８を用いてオン及びオフに切り替えられる。コームユニット４は、コームボディ４１、及び、切断ユニット３上にコームユニット４を取り付ける取付けアーム４３を有する。コームユニット４は筐体２上にも取り付けられ得る、ことは理解されるべきである。切断ユニット３は、刃３１を有する。大半の刈込み装置は、互いに対して長手方向に動かされる２つの刃を有して機能する。切断長さは、刃３１と毛髪が切断されている間皮膚に接触するコームボディ４１の下方部分との間の距離によって定められる。
【００１３】
切断ユニット３及びコームユニット４は、筐体２に対して動かされ得る可動ユニット８を共に形成する。可動ユニット８の筐体２に対する位置筐体２上の目盛り２１によって示され得る。可動ユニット８を筐体２に対して動かす際、切断長さを定める切断ユニット３とコームユニット４との間の距離Ｄは、一定に維持される。このコンセプトは、図１及び図２を比較することによってより明確にされる。
【００１４】
図２中、刈込み装置１は、幼児の頭部９上の毛髪を切断しているところを図示される。該幼児は、その頭部９を上方向（頭部９の近くの矢印参照）に動かしている。これは、頭部の皮膚上のコームボディ４１から作用する圧力における突然の上昇に繋がる。しかし、切断ユニット３及びコームユニット４を筐体２を有する長手方向において共に動かすことで（切断ユニット３の隣の矢印参照）、この急激な上昇は補正され、切断長さは、予期される切断長さから逸脱しない。これは、切断ユニット３及びコームユニット４が夫々の距離Ｄを変えることなく同時に動かされるため達成できる。
【００１５】
筐体２に対する切断ユニット３及びコームユニット４の異なる位置は、筐体２上の目盛り２１によってより可視とされる。図１中、切断ユニット３及びコームユニット４の可動ユニット８は、目盛りの最も下の線と同等に位置にあり、図２中、目盛りの最も上の線と同等の位置にある。
【００１６】
望ましい実施例では、図３中に示される通り、一方の切断ユニット３及びコームユニット４、と、他方の筐体２は、弾性要素５を介して接続される。図３中に示される特別な場合では、コームユニット４は、切断ユニット３上に取り付けられ、切断ユニット３は、実際に弾性要素５を介して筐体２に接続される。例えば、切断ユニット３及びコームユニット４のいずれも各々弾性要素５を介して筐体２に接続させることも、可能である。
【００１７】
弾性要素５を用いて、圧力だけが定められた圧力範囲において補正されるばかりではなく、弾性要素５の弾性モジュールによっても定められる。弾性要素５の弾力性により、皮膚に加えられる圧力が再度低減し、故に圧力の低減も補正する際、切断ユニット３とコームユニット４は、圧力が上昇する前に位置に戻るよう動き、筐体２を離れる。
【００１８】
図３中に示される例では、弾性要素５は、切断ユニット３及びコームユニット４が、動かされる際に筐体２を有する長手方向に摺動することを確実にする機構と組み合わされる。これを達成するよう、切断ユニット３及びコームユニット４は、矢印で概略的に図示される通り、筐体２に沿って上下に摺動するところの誘導レール２２に置かれる。誘導レール２２、又は平行四辺形等の例えば運動学的機構等であるその他の摺動機構が望ましい実施例では弾性要素５無しで使用され得る、ことも理解される。
【００１９】
摺動機構に関する１つの重要な点は、刈込み装置の特定の実施例によれば、圧力変化を補正する動作の定められた方向、筐体を有する長手方向からのいずれの方向でもあり得る方向を与えること、である。弾性要素の１つの重要な点は、補正するシステムの定められた反応時間及び定められた圧力範囲を与えること、である。
【００２０】
図４乃至図６は、可能な弾性要素５の複数の例を概略的に示す。可動ユニット８は、誘導レール２２によって定められる方向において動いている。補正されるべき圧力及び反応時間の範囲は、弾性要素５１，５２，５３によって定められる。図４中、弾性要素は、螺旋バネ５１である。図５中、弾性要素は、重ね板バネ５２である。図６中、弾性要素は、エラストマの一片５３である。当業者によって多くのより可能な弾性要素が既知であり、刈込み装置の寸法等に依存して適切な弾性要素が選択され、製造コスト又は圧力の値の変化が予期されるべきである、ことは理解される。
【００２１】
図４乃至図６中に示される機械的弾性要素とは別に、他の望ましい実施例は、電気的又は空気圧式又は水圧式の弾性要素に基づく。電気的な弾性要素の一例は、例えば、皮膚上に加えられる圧力を測定し、リセットモータを用いてそれを調節する電気センサシステム等である。
【００２２】
図７及び図８は、切断ユニット３を駆動する駆動ユニット６を有する刈込み装置１の望ましい実施例を示す。コームユニット４は、明確にするために図示されない。図７及び図８中に示される駆動ユニット６の主な構成部品は、筐体２において収容されるモータ６１、切断ユニット３において収容される駆動要素６３、及び、モータ６１及び駆動要素６３を接続する運動コンバータ６２である。モータは、可能であれば再生型バッテリであるバッテリによって、あるいは、外部の電源によってワイヤを介してエネルギを供給され得る。
【００２３】
図７中に示される例では、切断ユニット３において収容される駆動要素６３は、可動ユニットの一部であり、運動コンバータ６２及びモータは、筐体２において固定され、静止ユニットの一部である。動いているユニットと静止ユニットとの間の接続は、誘導レール２２において成される。誘導レール２２は、筐体上で固定され、一方では運動コンバータ６２の駆動要素６３との接続を可能にし、他方では駆動要素６３を有する切断ユニット３及びコームユニットが筐体２に沿って動き得るようにし、湾曲及び／又は凹凸、あるいは毛髪が刈込み装置１を用いて切断されるところの部分の予期しない動きによる圧力変化を補正するようにする。他の望ましい一実施例では、誘導レール２２の代わりに、共に動く２つの誘導レールがあり得、一方は切断ユニット３上に固定され、他方は筐体２上に固定される。
【００２４】
図８中に示される例では、駆動要素６３だけではなく、運動コンバータ６２及びモータ６１は、可動ユニットの一部分である。駆動要素６３、運動コンバータ６２及びモータ６１の間には、固定された接続がある。運動コンバータ６２及び駆動要素６３を有するモータ６１は、誘導レール２３上に置かれる支持要素６４上に取り付けられ、この誘導レール２３は、筐体２の一部分である。モータ６１は、圧力変化を補正する動作を制御するよう弾性要素５を介して筐体２と接続される。
【００２５】
当業者によって、駆動ユニット６の一部又は全体を筐体２によって原則的に定められる静止ユニットに対向するよう作用する圧力に依存して動くことができる可動ユニットへと一体化する可能性は更に多くある、ことは理解される。
【００２６】
図９及び図１０中、調整可能なコームユニット４を有する望ましい一実施例が示される。調整可能なコームユニット４は、コームボディ４１及び設定アーム４２を有する。設定アーム４２は、切断ユニット３上の異なる位置においてコームユニット４を取り付けることを可能にする。実際の位置は、切断ユニット３上の目盛り３２によって示され得る。図９中、切断ユニット３に対するコームユニット４の位置は、長い切断長さと同等であり、図１０中では短い切断長さと同等である。
【００２７】
切断長さを変更する他の可能性は、各々が他の切断長さを定める異なる寸法の多種のコームユニットを与えること、及び、切断長さを変更するようそれらを交換することにある。
【００２８】
例示の目的で詳細にわたって本願中説明される刈込み装置の望ましい実施例が当然のことながら構造、設計、適用、及び手順において多くの異なる変化を受ける、ことは留意される。多くの様々且つ異なる実施例が本願中の発明概念の範囲内でなされ得るため、また、多くの修正が本願中に詳述される実施例においてなされ得るため、本願中の詳細が例示的なものであり、制限的な意味において解釈されるべきではない、ことは理解される。例えば、従属請求項の特性の多種の組み合わせは、本発明の範囲を逸脱することなく独立請求項の特性を有してなされ得る。更には、請求項中の全ての参照符号は、制限的に解釈されるべきではない。
【図面の簡単な説明】
【００２９】
【図１】低圧に対応する位置における本発明に従った刈込み装置の一実施例を図示する。
【図２】強い圧力に対応する位置における図１中の実施例を図示する。
【図３】筐体とコームユニットを有する切断ユニットとの間の接続機構を示す図１中の実施例の拡大図である。
【図４】弾性要素の第１の例を図示する。
【図５】弾性要素の第２の例を図示する。
【図６】弾性要素の第３の例を図示する。
【図７】本発明に従った駆動ユニットを有する第１の実施例を図示する。
【図８】本発明に従った駆動ユニットを有する第２の実施例を図示する。
【図９】第１の位置における調整可能なコームユニットを有する一実施例を図示する。
【図１０】第２の位置における図９中の実施例を図示する。
【図１】
2008502405.tif 000003
【図２】
2008502405.tif 000004
【図３】
2008502405.tif 000005
【図４】
2008502405.tif 000006
【図５】
2008502405.tif 000007
【図６】
2008502405.tif 000008
【図７】
2008502405.tif 000009
【図８】
2008502405.tif 000010
【図９】
2008502405.tif 000011
【図１０】
2008502405.tif 000012
【国際調査報告】
2008502405.tif 000013
2008502405.tif 000014